(57)【要約】【課題】本発明は、カード装着部から排出する時のカード部材の飛び出しを確実に防止すると共に、排出時にカード部材の凹部に加わる集中加重を小さくしてカード部材を損傷なく引き抜くことができるカード用コネクタ装置を提供すること。【解決手段】本発明のカード用コネクタ装置は、一方の面に複数の接触部１２ｅを形成したカード部材１２を装着可能なカード装着部１０を内部に形成したハウジング２と、カード部材１２の複数の接触部１２ｅと接触可能なカード装着部１０に配設した複数の端子部材４と、カード装着部１０に装着したカード部材１２を排出可能なスライド部材６とカム溝８とからなる排出機構とを備え、カード装着部１０を形成した部分のハウジング２の底壁２ａには、カード部材１２の下面に弾接可能な弾性押圧部３を形成した。【選択図】　　　　図５
2004094713.tif 000002
【特許請求の範囲】
【請求項１】
一方の面に複数の接触部を形成したカード部材を装着可能なカード装着部を内部に形成したハウジングと、前記カード部材の前記複数の接触部と接触可能な前記カード装着部に配設した複数の端子部材と、前記カード装着部に装着した前記カード部材を排出可能な排出機構とを備え、
前記カード装着部を形成した部分の前記ハウジングの底壁には、前記カード部材の下面に弾接可能な弾性押圧部を形成したことをことを特徴とするカード用コネクタ装置。
【請求項２】
前記ハウジングを取付可能なプリント基板と前記ハウジングの前記底壁との間に所定の隙間を形成することにより前記弾性押圧部を弾接可能としたことを特徴とする請求項１記載のカード用コネクタ装置。
【請求項３】
前記排出機構は、前記カード部材の装着または排出に連動して同方向にスライド移動可能なスライド部材と、このスライド部材を排出方向に付勢する付勢部材と、この付勢部材の付勢力に抗して前記スライド部材の動きを規制可能なカム機構とを有し、
前記カード装着部に前記カード部材を装着したカード装着状態における前記スライド部材は、前記カム機構によりロックされて動きが規制され、前記スライド部材がロック状態において、前記付勢部材の付勢力に抗して前記装着方向に前記スライド部材を一旦押圧することにより、前記ロックが解除されて、前記スライド部材を介して前記カード装着状態の前記カード部材を前記カード装着部から排出するようにしたことを特徴とする請求項１または２のいずれかに記載のカード用コネクタ装置。
【請求項４】
前記カム機構は、ハート型のカム溝と、前記スライド部材に一端部が支持され他端部が前記カム溝に沿って摺動可能な摺動部材とを有し、前記カード装着状態における前記スライド部材は、前記カム溝に形成したロック部に前記摺動部材が位置して前記ロックされ、このロック状態において、前記カード部材を前記カード装着方向に押圧することにより前記ロックが解除されるようにしたことを特徴とする請求項３記載のカード用コネクタ装置。
【請求項５】
前記カード装着状態における前記カード部材の前端部寄りの下面と対向する部分の前記ハウジングの前記底壁をくり抜いて開口部を形成し、前記弾性押圧部は、カード装着部の入り口部と前記開口部とに挟まれた部分の前記底壁上に形成したことを特徴とする請求項３記載のカード用コネクタ装置。
【請求項６】
前記弾性押圧部は、前記底壁上に前記カード部材の前記装着または排出方向と同方向に突出形成したことを特徴とする請求項５記載のカード用コネクタ装置。
【請求項７】
前記カード装着部の上方を覆うカバー部材を配設し、このカバー部材には、前記ハウジングの幅方向を挟み込む左右側板を有し、この左右側板には、前記プリント基板に実装可能な取付部を形成し、この取付部を前記ハウジングの前記底壁から所定寸法突出させて、前記底壁と前記プリント基板との間に前記隙間を形成したことを特徴とする請求項２乃至６のいずれかに記載のカード用コネクタ装置。
【発明の詳細な説明】
【０００１】
【発明の属する技術分野】
本発明はカード用コネクタ装置に係わり、特にパーソナルコンピュータ等の記憶媒体に用いられるＩＣカードや、デジタルカメラ等の電子機器に使用されるメモリーカード等のカード部材に書き込み、または読み出し可能なカード用コネクタ装置に関する。
【０００２】
【従来の技術】
パーソナルコンピュータ（以後ＰＣと称する）等の情報機器の増設記録装置として、内部にＩＣ（集積回路）を埋設したカード部材に、種々の情報の書き込み、あるいは読み出しを行うためにカード用コネクタ装置が一般的に用いられている。　このような従来のカード用コネクタ装置には、ハウジング内部にカード部材を装着可能なカード装着部が形成されており、ハウジング内部には、カード装着部に装着したカード部材を排出するための排出機構が設けられている。
この排出機構には、カード装着状態におけるカード部材をロックして動きを規制可能なスライダーが配設され、このスライダーは、コイルバネでカード排出方向に常に付勢されている。
【０００３】
また、排出機構により、ロックを解除したスライダーが、コイルバネの付勢力で排出方向にスライドすることにより、カード装着部に装着したカード部材が排出可能になっている。
このような従来のカード用コネクタ装置は、カード装着部に装着したカード部材を抜け止めするために、カード部材の側縁部に凹部を形成し、この凹部に弾性係合可能な係合部材をスライダーに取り付けていた。
【０００４】
そして、カード装着状態におけるカード部材は、凹部にスライダー側の係合部材が弾性係合してカード装着部から抜け止めされると共に、カード排出時においても、凹部に係合部材が弾性係合した状態で、カード装着部から所定量排出した排出状態となる。この所定量排出状態のカード部材を、操作者が手作業で引き抜くことにより、凹部から係合部材が外れて、カード部材を取り出すことができる。
そのために、従来のカード用コネクタ装置は、凹部と、この凹部に弾性係合可能な係合部材とにより、カード排出時のカード部材がハウジング外部に飛び出すのを防止できる。
【０００５】
【発明が解決しようとする課題】
しかし、上述したような従来のカード用コネクタ装置は、凹部に弾性係合する係合部材の取付位置がばらついて、凹部との係合力が大きくなると、手作業でカード引き抜き時に、カード部材の凹部に集中加重が加わり、繰り返しの着脱動作で、カード部材が破損するおそれがあった。
【０００６】
また、係合部材の取付位置のバラツキで、凹部との係合力が小さくなると、カード排出時のカード部材がハウジング外部に飛び出して、破損するおそれがあった。
本発明は前述したような問題点に鑑みてなされたもので、カード装着部から排出する時のカード部材の飛び出しを確実に防止すると共に、排出時に凹部に加わる集中加重を小さくしてカード部材を損傷なく引き抜くことができるカード用コネクタ装置を提供することを目的とする。
【０００７】
【課題を解決するための手段】
上記課題を解決するための第１の解決手段として本発明のカード用コネクタ装置は、一方の面に複数の接触部を形成したカード部材を装着可能なカード装着部を内部に形成したハウジングと、前記カード部材の前記複数の接触部と接触可能な前記カード装着部に配設した複数の端子部材と、前記カード装着部に装着した前記カード部材を排出可能な排出機構とを備え、
前記カード装着部を形成した部分の前記ハウジングの底壁には、前記カード部材の下面に弾接可能な弾性押圧部を形成したことをことを特徴とする。
【０００８】
また、上記課題を解決するための第２の解決手段として、前記ハウジングを取付可能なプリント基板と前記ハウジングの前記底壁との間に所定の隙間を形成することにより前記弾性押圧部を弾接可能としたことを特徴とする。
【０００９】
また、上記課題を解決するための第３の解決手段として、前記排出機構は、前記カード部材の装着または排出に連動して同方向にスライド移動可能なスライド部材と、このスライド部材を排出方向に付勢する付勢部材と、この付勢部材の付勢力に抗して前記スライド部材の動きを規制可能なカム機構とを有し、
前記カード装着部に前記カード部材を装着したカード装着状態における前記スライド部材は、前記カム機構によりロックされて動きが規制され、前記スライド部材がロック状態において、前記付勢部材の付勢力に抗して前記装着方向に前記スライド部材を一旦押圧することにより、前記ロックが解除されて、前記スライド部材を介して前記カード装着状態の前記カード部材を前記カード装着部から排出するようにしたことを特徴とする。
【００１０】
また、上記課題を解決するための第４の解決手段として、前記カム機構は、ハート型のカム溝と、前記スライド部材に一端部が支持され他端部が前記カム溝に沿って摺動可能な摺動部材とを有し、前記カード装着状態における前記スライド部材は、前記カム溝に形成したロック部に前記摺動部材が位置して前記ロックされ、このロック状態において、前記カード部材を前記カード装着方向に押圧することにより前記ロックが解除されるようにしたことを特徴とする。
【００１１】
また、上記課題を解決するための第５の解決手段として、前記カード装着状態における前記カード部材の前端部寄りの下面と対向する部分の前記ハウジングの前記底壁をくり抜いて開口部を形成し、前記弾性押圧部は、カード装着部の入り口部と前記開口部とに挟まれた部分の前記底壁上に形成したことを特徴とする。
【００１２】
また、上記課題を解決するための第６の解決手段として、前記弾性押圧部は、前記底壁上に前記カード部材の前記装着または排出方向と同方向に突出形成したことを特徴とする。
【００１３】
また、上記課題を解決するための第７の解決手段として、前記カード装着部の上方を覆うカバー部材を配設し、このカバー部材には、前記ハウジングの幅方向を挟み込む左右側板を有し、この左右側板には、前記プリント基板に実装可能な取付部を形成し、この取付部を前記ハウジングの前記底壁から所定寸法突出させて、前記底壁と前記プリント基板との間に前記隙間を形成したことを特徴とする。
【００１４】
【発明の実施の形態】
以下、本発明の実施の形態のカード用コネクタ装置を図１〜図１４に基づいて説明する。図１は本発明に関するカード用コネクタ装置の上面図であり、図２は図１の側面図であり、図３は図１の正面図であり、図４は図１の４−４断面図であり、図５は本発明に係わるハウジングを説明する上面図であり、図６は図５の正面図であり、図７〜図１１は本発明に係わるカード部材の着脱動作を説明する面であり、図１２は本発明に係わるカード部材の装着状態を説明する要部断面であり、図１３〜図１５は本発明に係わるカード部材を示す図面である。
【００１５】
まず、本発明の１実施の形態のカード用コネクタ装置１は、樹脂材料等の絶縁材で形成されたハウジング２を有し、このハウジング２は、図５に示すように、外径が略矩形状に形成されている。
また、ハウジング２は、表面側が凹み形成されて底面が平坦状の底壁２ａと、この底壁２ａの図示左側に形成した奥側壁２ｂと、この奥側壁２ｂの図示上端部につながって右側壁２ｃと、この右側壁２ｃと対向する側に奥測壁２ｂの図示下端部につながって左端壁２ｄとで３方が囲まれて形成されている。
【００１６】
また、左側壁２ｄの内側には、所定の幅寸法のバネ保持溝２ｅを挟んでガイド壁２ｆが左側壁２ｄと平行に同じ高さで形成されている。
そして、奥側壁２ｂと右側壁２ｃとガイド壁２ｆとに囲まれた底壁２ａ上に、後述するカード部材１２を装着可能な後述するカード装着部１０が形成されている。また、底壁２ａの中央部を矩形状にくり抜いて開口部２ｇが形成され、この開口部２ｇの図示右側には、右側壁２ｃ及び左側壁２ｄ間を橋渡しする底壁２ａからなる桟部２ｈが形成されている。
この桟部２ｈは、カード装着部１０の入り口部である図示右側に凹部２ｊが形成され、この凹部２ｊによって幅狭になっている。そのために、桟部２ｈは容易に弾性変形可能になっている。
また、左右の側壁２ｃ、２ｄには、複数のスナップ突起２ｍが突出形成され、このスナップ突起２ｍに後述するカバー部材９がスナップ係合可能になっている
。
【００１７】
また、桟部２ｈには、後述するカード部材１２の排出方向と同方向に突出して弾性押圧部３が一体形成されている。即ち、後述するカード装着部１０の入り口部近傍の底壁２ａに弾性押圧部３が形成されている。
また、奥側壁２ｂには複数の弾性を有する金属板等で形成した複数の端子部材４が略等間隔に並列して埋設されている。前記端子部材４は、奥側壁２ｂの外部に略等間隔に延出する端子部４ａが形成され、この端子部４ａは、後述するプリント基板に半田付け等により実装可能になっている。
また、端子部材４は、奥側壁２ｂの内部のカード装着部１０側に延出する接点部４ｂが底壁２ａ上に位置して片持ち梁状になっており、前記接点部４ｂに後述するカード部材１２の接触部１２ｅが弾接可能になっている。
【００１８】
また、図５に示すバネ保持溝２ｅには、引っ張りコイルバネからなる付勢部材５が配設され、この付勢部材５は、一端部５ａがバネ保持溝２ｅの底壁２ａに突出形成したバネ支持突起２ｋに支持され、他端部５ｂがスライド部材６のバネ係支部６ｄに係支されている。
そのために、スライド部材６は、付勢部材５の付勢力で常に後述するカード部材１２の排出方向に付勢されて、図５に示すように、カード部材１２が未装着状態の初期位置においては、左側壁２ｄとガイド壁２ｆとに形成したストッパー部２ｎ、２ｎにスライド部材６が当接した状態になている。
前記スライド部材６は、後述するカード部材１２の前端部１２ａが当接可能な当接部６ａがカード装着部１０側に突出形成され、ガイド壁２ｆより若干カード装着部１０側に突出する略くの字状の弾性変形可能な係合部６ｂが形成されている。この係合部６ｂの図示下方が略三角形状にくり抜きされて切り欠き部６ｃが形成され、この切り欠き部６ｃに、係合部６ｂが弾性変形可能になっている。
【００１９】
また、スライド部材６には、図示右側に付勢部材５の他端部５ｂを係支可能なバネ係支部６ｄが形成されている。そして、付勢部材５で付勢されたスライド部材６が、ストッパー部２ｎに当接した初期状態における係合部６ｂの下部には、規制壁２ｐが形成され、この規制壁２ｐによって、係合部６ｂの剛性を強くしている。
また、切り欠き部６ｃの図示左側下部のスライド部材６には、支持孔６ｅが形成され、この支持孔６ｅに後述する摺動部材７の一端部７ａが支持されて回動自在になっている。
【００２０】
また、スライド部材６の図示左端部には、略台形状で幅狭の押え部６ｄが形成され、この押さえ部６ｄが上方側に折り返されて、支持孔６ｅに支持した後述する摺動部材７を弾性付勢して抜け止めしている。
前記摺動部材７は、針金状の１本の棒部材からなり、一端部７ａと他端部７ｂが縦長状の腕部７ｃから同方向に直角状に折り曲げ形成されている。
そして、摺動部材７は、一端部７ａが支持孔６ｅに支持されて、腕部７ｃの上方がスライド部材６の押え部６ｆに弾性付勢され、他端部７ｂがスライド部材６の図示左端部の外側に位置している。
【００２１】
また、図５に示す、スライド部材６と、ハウジング２の後側壁２ｂとの間の底壁２ａ上には、摺動部材７と共にカム機構を構成するハート型のカム溝８が彫り込みされている。そして、押え部６ｆによりカム溝８の底面側に付勢された摺動部材７の他端部７ｂが、カム溝８内の底面上に位置し、カム溝８に沿って摺動可能になっている。
前記カム溝８は、階段状及び傾斜状の底面（図示せず）を組み合わせて形成され、ハート型に形成した部分の２本の溝部８ａ、８ａに挟まれた部分に、略ハート型のロック部８ｂが突出形成されている。このロック部８ｂの前端部に、摺動部材７の他端部７ｂが位置することで、スライド部材６がロックされて動きが規制されるようになっている。
【００２２】
即ち、ハウジング２には、後述するカード装着部１０に装着したカード部材１２を排出可能な排出機構が形成され、この排出機構は、後述するカード部材１２の装着または排出に連動して同方向にスライド移動可能なスライド部材６と、このスライド部材６を排出方向に付勢する付勢部材５と、この付勢部材５の付勢力に抗してスライド部材６をロックして動きを規制可能なカム溝８及び摺動部材７を有するカム機構とからなっている。
【００２３】
また、本発明のカード用コネクタ装置１は、図１〜図３に示すように、ハウジング２の上部を覆う金属板からなるカバー部材９が配設されている。このカバー部材９は、図３に示すように、ハウジング２の上部を覆う平坦状のカード摺接板９ａと、ハウジング２の幅方向を挟み込んで互いに対向する右側板９ｂと左側板９ｃとを有し、この左右の側壁９ｂ、９ｃには、後述すプリント基板に半田付け等で実装可能な舌片状の取付部９ｄが形成されている。
この取付部９ｄのカード摺接板９ａからの寸法は、ハウジング２の高さ寸法より大きく形成されている。
【００２４】
前記カバ−部材９の左右の側板９ｂ、９ｃには、ハウジング２のスナップ突起２ｍがスナップ係合可能な係合孔９ｅが形成され、この係合孔９ｅにスナップ突起２ｍをスナップ係合させて、カバー部材９がハウジング２に取り付けられている。そして、カバー部材９をハウジング２に取り付けると、図３、図４に示すように、ハウジング２の上部がカバー部材９で覆われて、カバー部材９のカード摺接板９ａと底壁２ａとの間に、後述するカード部材１２を装着可能なカード装着部１０が形成される。
【００２５】
また、ハウジング２にスナップ係合させて取り付けたカバー部材９は、取付部９ｄがハウジング２の底壁２ａから下方側に寸法Ａ突出するようになっている。そのために、カバー部材９を取り付けたハウジング２を、図４の２点鎖線で示すプリント基板１１に載置すると、プリント基板１１とハウジング２の底壁２ａ及び桟部２ｈとの間には寸法Ａの隙間が形成されるようになっている。
この寸法Ａの隙間によって、弾性押圧部３を形成した桟部２ｈがプリント基板１１側に弾性変形可能になっている。
また、カバー部材９を取り付けた状態のハウジング２は、プリント基板１１に載置すると、取付部９ｄをプリント基板１１に実装可能になっている。
【００２６】
前記カード装着部１０には、内部にＩＣ（集積回路）を埋設した、図１３〜図１５に示すようなカード部材１２が装着可能になっている。
このカード部材１２は、図１５に示すように、前端部１２ａの図示左側の一方のコーナ部１２ｂが斜めにカットされている。
また、図１４に示すように、カード部材１２は、互いに対向する下面１２ｃと上面１２ｄとが平坦状に形成され、前端部１２ａ側の下面１２ｃが切り欠きされて段差状に形成され、この段差状の下面１２ｃ側に、内部のＩＣ（図示せず）に導通する複数の接触部１２ｅが露出して整列形成されている。
【００２７】
また、斜めにカットしたコーナ部１２ｂ寄りの一方の側縁部１２ｆには、図１５に示すように、スライド部材６の係合部６ｂが弾性係合可能な凹部１２ｇが形成されている。また、一方の側縁部１２ｆと対向する側に他方の側縁部１２ｈが形成され、この他方の側縁部１２ｈの前端部１２ａ側のコーナ部は円弧状に形成されて、他方のコーナ部１２ｂと非対称形状になっている。
そのために、カード装着部１０へのカード部材１２の逆挿入を防止するようになっている。
【００２８】
また、カード部材１２を、図４に示すカード装着部１０に挿入すると、カード部材１２の下面１２ｃに弾性押圧部３が弾接すると共に、カード部材１２の上面１２ｄがカバー部材９のカード摺接板９ａに摺接するので、カード装着部１０から着脱時のカード部材１２は、従来のものより摩擦抵抗が大きくなるようになっている。
また、カード装着部１０にカード部材１２を装着した時のハウジング２の桟部２ｈは、図１２に示すように、プリント基板１１側に弾性変形するが、プリント基板１１との間には寸法Ａの隙間があるので、桟部２ｈの底面がプリント基板１１に接触しないようになっている。
【００２９】
このような本発明のカード用コネクタ装置１をプリント基板１１に実装した状態で、カード部材１２の着脱動作を説明すると、まず、図５に示すカード挿入前の初期状態においては、スライド部材６が付勢部材５の付勢力でストッパー部２ｎに当接した状態になっている。
この初期状態のカード装着部１０に、図７に示すように、カード部材１２を矢印Ｂの装着方向に挿入するカード装着途中においては、カード部材１２の凹部１２ｇにスライド部材６の係合部６ｂが係合すると共に、前端部１２ａがスライド部材６の当接部６ａを押圧して、付勢部材５の付勢力に抗してスライド部材６がハウジング２の奥側にスライド移動する。
このようなカード挿入途中におけるカム機構は、図７に示すように、カム溝８に位置する摺動部材７の他端部７ｂが、時計回り方向に回動して、ロック部８ｂの右側の溝部８ａを摺動している。
【００３０】
次に、カード部材１２を完全に押し切ったオーバーストローク状態においては、図８に示すように、カード部材１２は、前端部９ａがハウジング２の奥側壁２ｂにぶつかると共に、摺動部材７がカム溝８の最奥部に位置して、カード部材１２の矢印Ｂの装着方向への動きが停止する。
この時のカム機構は、カード挿入途中と同様に摺動部材７の他端部７ｂが、カム溝８に案内されて時計回り方向に回動した状態になっている。
そして、オーバーストロークの状態から、カード部材１２に加えていた矢印Ｂの押圧力を解除すると、付勢部材５の付勢力でスライド部材６が初期状態に戻ろうとするが、摺動部材７の他端部７ｂが、カム溝８に案内されてロック部８ｂの前端部に当接して、スライド部材６がロック状態となって動きが規制される。
【００３１】
前記スライド部材６がロック状態となると、カード部材１２の接触部１２ｅが複数の端子部材４の接点部４ｂに接触すると共に、凹部１２ｇにスライド部材６の係合部６ｂが弾性係合してカード部材１２がカード装着部１０抜け止めされて装着される。
このカード装着状態において、カード部材１２内部のＩＣに書き込み、または読み出しを行うことができる。
【００３２】
次に、カード装着状態におけるカード部材１２を、図１０に示すように、付勢部材５の付勢力に抗して、一旦矢印Ｂのカード装着方向に押圧して、再度オーバストロークとすると、摺動部材７がロック部８ｂから離れて、反時計回り方向に回動する。この状態から、カード部材１２に加えていた矢印Ｂの装着方向への押圧力を解除すると、図１１に示すように、付勢部材５の付勢力で、スライド部材６が矢印Ｃのカード排出方向にスライド移動して初期状態に自動復帰することにより、カード部材１２がカード排出状態となる。
【００３３】
この時の摺動部材７は、図１０に示す状態からロック部８ｂの左側の溝部８ａを案内されて図１１に示す初期状態に自動復帰する。
また、オーバストローク状態のカード部材１２は、スライド部材６の当接部６ａによって前端部１２ａが押されて、矢印Ｃの排出方向に排出され、図１１に示すようなカード排出状態となる。
このカード排出状態となった時のスライド部材６は、付勢部材５の付勢力でストッパー部２ｎに衝突してストップするが、スライド部材６と共に排出方向に移動していたカード部材１２は、慣性力で矢印Ｃ方向に飛び出そうとする力が働く。
【００３４】
けれども、カード部材１２は、凹部１２ｇにスライド部材６の係合部６ｂが弾性係合していると共に、図１２に示すように、下面１２ｃがハウジング２の弾性押圧部３に弾接し、また、上面１２ｄがカバー部材９のカード摺接板９ａに弾接している。そのために、矢印Ｃの排出方向に飛び出そうとする力が加わったカード部材１２にブレーキが掛かり、カード部材１２がハウジング２の外部に飛び出すのを防止できる。
【００３５】
また、図１１に示すように、カード排出状態における、凹部１２ｇに弾性係合している係合部６ｂは、規制壁２ｐ上に位置するようになっている。そのために、慣性力でカード部材１２に矢印Ｃの排出方向に飛び出そうとする力が働いて、図示下方側に弾性変形しょうとする係合部６ｂが、規制壁２ｐに当接して剛性が強くなり、更に確実にカード部材１２の飛び出しを防止できる。
このような本発明のカード用コネクタ装置１は、カード部材１２のプッシュ・プッシュ操作で、カード装着部１０に装着、または排出の両方を行うことができるので、操作性が良い。
【００３６】
本発明の実施の形態の説明では、弾性押圧部３をハウジング２に一体形成したもので説明したが、弾性押圧部３は、スポンジ等の弾性体を桟部２ｈに貼り付けたものでも良い。
また、カード部材１２は、プッシュ・プッシュ操作で、装着、及び排出を行うもので説明したが、スライド部材６を矢印Ｂまたは矢印Ｃ方向にスライド操作可能なイジェクト部材（図示せず）を配設したものでも良い。
また、カバー部材９の左右の側板９ｂ、９ｃに、プリント基板１１に実装可能な取付部９ｄをハウジング２の底壁２ａから所定寸法突出させて寸法Ａの隙間を形成したもので説明したが、ハウジング２の底壁２ａの下面から直接突出する突起を形成して、寸法Ａの隙間を形成したものでもよい。
【００３７】
【発明の効果】
以上説明したように、本発明のカード用コネクタ装置は、カード装着部を形成した部分のハウジングの底壁には、カード部材の下面に弾接可能な弾性押圧部を形成したので、カード部材をカード装着部から排出時に、カード部材の下面と弾性押圧部との摩擦により、カード部材がハウジング外部に飛び出しを防止することができる。そのために、飛び出しによるカード部材の故障を防止できる。
【００３８】
また、ハウジングを取付可能なプリント基板と弾性押圧部を形成した部分のハウジングの前記底壁との間に所定の隙間を形成したので、ハウジングの底壁が隙間部分に弾性変形することができ、カード装着部にカード部材をスムーズに挿入して装着することができる。
【００３９】
また、ロック状態におけるスライド部材を付勢部材の付勢力に抗して装着方向に一旦押圧することにより、スライド部材のロックが解除されて、カード装着状態のカード部材がスライド部材を介してカード装着部から排出可能としたので、カード部材をプッシュ・プッシュ操作することで、カード部材の装着、排出ができる操作性の良いカード用コネクタ装置を提供できる。
【００４０】
また、カード装着状態におけるスライド部材は、カム溝に形成したロック部に摺動部材が位置してロックされ、このロック状態において、カード部材をカード装着方向に押圧することによりロックが解除されるようにしたので、イジェクト部材等が無くても、カード部材のプッシュ・プッシュ操作で装着、排出することができ、構造が簡単で部品点数の少ないカード用コネクタ装置を提供できる。
【００４１】
また、カード装着状態におけるカード部材の前端部寄りのカード装着部の底壁をくり抜いて開口部を形成し、弾性押圧部は、カード装着部の入り口部と開口部とに挟まれた部分の底壁上に形成したので、弾性押圧部に適度な弾性力を付勢して、排出時のカード部材が飛び出すのを確実に防止できる。
【００４２】
また、弾性押圧部は、底壁上に位置するカード部材の装着または排出方向と同方向に突出形成したので、ハウジングを成型加工時に弾性押圧部を同時に形成することができる。
【００４３】
また、カバー部材の左右側板には、プリント基板に実装可能な取付部を形成し、この取付部をハウジングの底壁から所定寸法突出させて、底壁とプリント基板との間に隙間を形成したので、カード部材の左右側壁をハウジングの底壁から突出形成するだけで、プリント基板とハウジングの底壁との間に隙間を形成することができ、組立の容易なカード用コネクタ装置を提供できる。
【図面の簡単な説明】
【図１】本発明に関するカード用コネクタ装置の上面図である。
【図２】図１の側面図である。
【図３】図１の正面図である。
【図４】図１の４−４断面図である。
【図５】本発明に係わるハウジングを説明する上面図である。
【図６】図５の正面図である。
【図７】本発明に係わるカード部材の着脱動作を説明する面である。
【図８】本発明に係わるカード部材の着脱動作を説明する面である。
【図９】本発明に係わるカード部材の着脱動作を説明する面である。
【図１０】本発明に係わるカード部材の着脱動作を説明する面である。
【図１１】本発明に係わるカード部材の着脱動作を説明する面である。
【図１２】本発明に係わるカード部材の装着状態を説明する要部断面である。
【図１３】本発明に係わるカード部材を説明する図である。
【図１４】本発明に係わるカード部材を説明する図である。
【図１５】本発明に係わるカード部材を説明する図である。
【符号の説明】
１　本発明のカード用コネクタ装置
２　ハウジング
３　弾性押圧部
４　端子部材
５　付勢部材
６　スライド部材
７　スライド部材
８　カム溝
９　カバー部材
１０　カード装着部
１１　プリント基板
１２　カード部材
【図１】
2004094713.tif 000003
【図２】
2004094713.tif 000004
【図３】
2004094713.tif 000005
【図４】
2004094713.tif 000006
【図５】
2004094713.tif 000007
【図６】
2004094713.tif 000008
【図７】
2004094713.tif 000009
【図８】
2004094713.tif 000010
【図９】
2004094713.tif 000011
【図１０】
2004094713.tif 000012
【図１１】
2004094713.tif 000013
【図１２】
2004094713.tif 000014
【図１３】
2004094713.tif 000015
【図１４】
2004094713.tif 000016
【図１５】
2004094713.tif 000017